(57)【要約】【課題】窓ガラス等を変更すること無く、日光の直射による冷却不良の発生を的確に防止若しくは解消することができる冷却機器の制御システムを提供する。【解決手段】制御システム４は、商品を冷却する複数台のショーケースＡ、Ｂ、Ｃを制御する。統合コントローラ６は、ショーケースが日光に直射される可能性がある時間帯を各ショーケースについてそれぞれ判断する直射時間帯判断部と、ショーケースが実際に日光に直射されているか否かを判断する直射判断部と、この直射判断部の判断内容に基づいてショーケースをそれぞれ制御する制御部とを備える。【選択図】図２
2012132131.tif 000002
【特許請求の範囲】
【請求項１】
物品を冷却する複数台の冷却機器を制御する制御システムにおいて、
前記冷却機器が日光に直射される可能性がある時間帯を、前記各冷却機器についてそれぞれ判断する直射時間帯判断部と、
前記冷却機器が実際に日光に直射されているか否かを判断する直射判断部と、
該直射判断部の判断内容に基づいて前記冷却機器をそれぞれ制御する制御部とを備えたことを特徴とする冷却機器の制御システム。
【請求項２】
前記直射判断部が前記冷却機器に実際に日光が直射していると判断し、且つ、前記直射時間帯判断部が前記冷却機器に日光が直射する可能性がある時間帯であると判断した場合、前記制御部は、当該冷却機器の冷気循環ファンの回転数を増加させることを特徴とする請求項１に記載の冷却機器の制御システム。
【請求項３】
前記直射判断部が前記冷却機器に実際に日光が直射していると判断し、且つ、前記直射時間帯判断部が前記冷却機器に日光が直射する可能性がある時間帯であると判断した場合、前記制御部は、当該冷却機器の冷却設定温度を低下させることを特徴とする請求項１又は請求項２に記載の冷却機器の制御システム。
【請求項４】
前記直射判断部が前記冷却機器に実際に日光が直射していると判断し、且つ、前記直射時間帯判断部が前記冷却機器に日光が直射する可能性がある時間帯であると判断した場合、前記制御部は、当該冷却機器の冷却器に循環される冷媒量を増加させることを特徴とする請求項１乃至請求項３のうちの何れかに記載の冷却機器の制御システム。
【請求項５】
前記直射判断部が前記冷却機器に実際に日光が直射していると判断し、且つ、前記直射時間帯判断部が前記冷却機器に日光が直射する可能性がある時間帯であると判断した場合、前記制御部は、当該冷却機器の照明装置を消灯し、若しくは、照度を低下させることを特徴とする請求項１乃至請求項４のうちの何れかに記載の冷却機器の制御システム。
【請求項６】
前記直射判断部が前記冷却機器に実際に日光が直射していると判断し、且つ、前記直射時間帯判断部が前記冷却機器に日光が直射する可能性がある時間帯であると判断した場合、前記制御部は、当該冷却機器の冷却器の霜取タイミングを遅延させることを特徴とする請求項１乃至請求項５のうちの何れかに記載の冷却機器の制御システム。
【請求項７】
前記直射判断部は、窓面の日射量、窓面の照度、窓面付近の温度、又は、窓に設けられたブラインドの使用状況のうちの何れか、若しくは、それらの組み合わせに基づいて前記冷却機器への日光の直射を判断することを特徴とする請求項１乃至請求項６のうちの何れかに記載の冷却機器の制御システム。
【発明の詳細な説明】
【技術分野】
【０００１】
本発明は、店舗等に設置されたショーケース等の複数台の冷却機器を制御する制御システムに関するものである。
【背景技術】
【０００２】
スーパーマーケットやコンビニエンスストア等の店舗（施設）には、複数台のショーケース（冷却機器）が設置されており、各ショーケースの陳列室内（被冷却空間）において商品（物品）を冷却し、温度を低く保ちながら陳列している。また、近年では複数台のショーケースを一括して制御する統合コントローラを店舗に設け、該統合コントローラから設定温度や霜取設定等の設定データを各ショーケースに送信し、各ショーケースからは温度や警報等の運転状態に関するデータを収集する集中制御が行われるようになって来ている。【０００３】
また、店舗には窓ガラスから日光が射し込むため、例えば特許文献１では日射量が一定値以上の場合には、店舗の空調機の設定温度を下げる等の工夫が成されている。
【先行技術文献】
【特許文献】
【０００４】
【特許文献１】特開２００５−３７１０９号公報
【特許文献２】特開２００４−１２３０１１号公報
【発明の概要】
【発明が解決しようとする課題】
【０００５】
ここで、窓ガラスから射し込んだ日射が、店舗に設置されたショーケースに直射した場合、陳列室内の温度が上昇してしまう。その場合、例えば特許文献２のように窓ガラスに電圧を印加することで透光率が変化する調光ガラスを用い、電圧をガラスに付加することで透光率を変化させて日射を弱める方法もあるが、特許文献２のような車の窓ガラスの場合には有効であるものの、店舗の場合にはコストの面から非現実的である。【０００６】
本発明は、係る従来の技術的課題を解決するために成されたものであり、施設の窓ガラス等を変更すること無く、日光の直射による冷却不良の発生を的確に防止若しくは解消することができる冷却機器の制御システムを提供するものである。
【課題を解決するための手段】
【０００７】
上記課題を解決するために、本発明の制御システムは、物品を冷却する複数台の冷却機器を制御するものであって、冷却機器が日光に直射される可能性がある時間帯を、各冷却機器についてそれぞれ判断する直射時間帯判断部と、冷却機器が実際に日光に直射されているか否かを判断する直射判断部と、この直射判断部の判断内容に基づいて冷却機器をそれぞれ制御する制御部とを備えたことを特徴とする。【０００８】
請求項２の発明の冷却機器の制御システムは、上記発明において直射判断部が冷却機器に実際に日光が直射していると判断し、且つ、直射時間帯判断部が冷却機器に日光が直射する可能性がある時間帯であると判断した場合、制御部は、当該冷却機器の冷気循環ファンの回転数を増加させることを特徴とする。【０００９】
請求項３の発明の冷却機器の制御システムは、上記各発明において直射判断部が冷却機器に実際に日光が直射していると判断し、且つ、直射時間帯判断部が冷却機器に日光が直射する可能性がある時間帯であると判断した場合、制御部は、当該冷却機器の冷却設定温度を低下させることを特徴とする。【００１０】
請求項４の発明の冷却機器の制御システムは、上記各発明において直射判断部が冷却機器に実際に日光が直射していると判断し、且つ、直射時間帯判断部が冷却機器に日光が直射する可能性がある時間帯であると判断した場合、制御部は、当該冷却機器の冷却器に循環される冷媒量を増加させることを特徴とする。【００１１】
請求項５の発明の冷却機器の制御システムは、上記各発明において直射判断部が冷却機器に実際に日光が直射していると判断し、且つ、直射時間帯判断部が冷却機器に日光が直射する可能性がある時間帯であると判断した場合、制御部は、当該冷却機器の照明装置を消灯し、若しくは、照度を低下させることを特徴とする。【００１２】
請求項６の発明の冷却機器の制御システムは、上記各発明において直射判断部が冷却機器に実際に日光が直射していると判断し、且つ、直射時間帯判断部が冷却機器に日光が直射する可能性がある時間帯であると判断した場合、制御部は、当該冷却機器の冷却器の霜取タイミングを遅延させることを特徴とする。【００１３】
請求項７の発明の冷却機器の制御システムは、上記各発明において直射判断部は、窓面の日射量、窓面の照度、窓面付近の温度、又は、窓に設けられたブラインドの使用状況のうちの何れか、若しくは、それらの組み合わせに基づいて冷却機器への日光の直射を判断することを特徴とする。
【発明の効果】
【００１４】
本発明によれば、物品を冷却する複数台の冷却機器を制御する制御システムにおいて、冷却機器が日光に直射される可能性がある時間帯を、各冷却機器についてそれぞれ判断する直射時間帯判断部と、冷却機器が実際に日光に直射されているか否かを判断する直射判断部と、この直射判断部の判断内容に基づいて冷却機器をそれぞれ制御する制御部とを備えているので、例えば、請求項２の発明の如く直射判断部が冷却機器に実際に日光が直射していると判断し、且つ、直射時間帯判断部が冷却機器に日光が直射する可能性がある時間帯であると判断した場合、制御部が、当該冷却機器の冷気循環ファンの回転数を増加させるようにすれば、従来の如く窓ガラス等を変更すること無く、日光の直射による冷却機器の冷却不良の発生を未然に抑制若しくは解消することが可能となる。【００１５】
この場合、例えば冷却機器周辺の照度を個々に検出して日光の直射を判断しようとすると、当該冷却機器が設置された施設の照明等の影響から、判断が難しくなる。また、冷却機器のどの部分が日光に直射されるかは当該冷却機器が据え付けられた場所や時刻、季節によって変化するので、冷却機器のどの部分に照度等を検出する手段を取り付けるか決定することも困難であるが、本発明では直射時間帯判断部が冷却機器が日光に直射される可能性がある時間帯を各冷却機器についてそれぞれ判断し、且つ、直射判断部が請求項７の発明のような窓面の日射量や照度、窓面付近の温度、ブラインドの使用状況の何れかや組み合わせから冷却機器への日光の直射を判断するので、施設の照明等に影響されること無く日光の直射に対応して個々の冷却機器の制御を的確に実現することが可能となる。【００１６】
このことは逆に個々の冷却機器に対して照度等を検出する手段を設ける必要が無くなるということであるので、機器構成の簡素化によるコストの削減にも成る。【００１７】
また、制御部は日光の直射による冷却機器の制御をそれぞれの冷却機器について行うことになるので、日光が直射している冷却機器のみ、冷気循環ファンの回転数を増加させることができ、必要以上のエネルギー消費の増加も防止することができる。【００１８】
以上は、請求項３の発明の如く直射判断部が冷却機器に実際に日光が直射していると判断し、且つ、直射時間帯判断部が冷却機器に日光が直射する可能性がある時間帯であると判断した場合、制御部が、当該冷却機器の冷却設定温度を低下させることによっても実現することができる。【００１９】
また、請求項４の発明の如く直射判断部が冷却機器に実際に日光が直射していると判断し、且つ、直射時間帯判断部が冷却機器に日光が直射する可能性がある時間帯であると判断した場合、制御部が、当該冷却機器の冷却器に循環される冷媒量を増加させることによっても実現することができる。【００２０】
更に、請求項５の発明の如く直射判断部が冷却機器に実際に日光が直射していると判断し、且つ、直射時間帯判断部が冷却機器に日光が直射する可能性がある時間帯であると判断した場合、制御部が、当該冷却機器の照明装置を消灯し、若しくは、照度を低下させることによっても実現することができる。【００２１】
更にまた、請求項６の発明の如く直射判断部が冷却機器に実際に日光が直射していると判断し、且つ、直射時間帯判断部が冷却機器に日光が直射する可能性がある時間帯であると判断した場合、制御部が、当該冷却機器の冷却器の霜取タイミングを遅延させることも有効である。
【図面の簡単な説明】
【００２２】
【図１】本発明を適用した店舗の概略断面図である。
【図２】本発明の制御システムの構成図である。
【図３】図２の制御システムの統合コントローラに入力された各ショーケースが日光に直射される可能性がある時間帯に関するデータを示す図である。
【図４】日射計による窓垂直日射量の一例を示す図である。
【発明を実施するための形態】
【００２３】
以下、本発明の実施の形態について詳細に説明する。図１において、１はスーパーマーケットやコンビニエンスストア等の店舗（施設）であり、この店舗１には冷却機器の実施例としての複数台のショーケースＡ、Ｂ、Ｃ（図１ではＡ、Ｂのみ示す）が設置されている。２は店舗１の窓ガラス（窓面）であり、この窓ガラス２からは日光が入射する（図１に白抜き矢印で示す）。また、３は窓ガラス２の内側に設置された日射計（日射判断用計測器具）であり、窓ガラス２から店舗１内に入射する窓垂直日射量を検出する。
【００２４】
各ショーケースＡ、Ｂ、Ｃは、それぞれ冷却器と冷気循環ファンを備えており、冷却器は減圧装置や電磁弁を介して店外に設置された冷凍機Ｒ（図２）と冷媒配管により接続されている。冷凍機には圧縮機、凝縮器等を備えており、これら圧縮機、凝縮器、減圧装置及び各冷却器は周知の冷媒回路を構成する。そして、圧縮機から吐出され、凝縮器で凝縮した冷媒は、減圧装置を介して各ショーケースＡ、Ｂ、Ｃの冷却器に分配供給される。
【００２５】
各ショーケースＡ、Ｂ、Ｃの冷却器にそれぞれ流入した冷媒はそこで蒸発することにより冷却効果を発揮する。各ショーケースＡ、Ｂ、Ｃの冷気循環ファンはこの冷却器と熱交換した冷気を陳列室内（被冷却空間）に循環することにより、陳列室内は冷却される。また、個々のショーケースＡ、Ｂ、Ｃの冷却器への冷媒循環は、陳列室内（被冷却空間）の温度等に基づいて電磁弁により制御され、これにより、各ショーケースＡ、Ｂ、Ｃの陳列室内は個々の冷却設定温度に冷却維持されることになる。また、各ショーケースＡ、Ｂ、Ｃには照明装置が設けられ、当該照明装置により陳列室内は照明される。
【００２６】
次に、図２は実施例の店舗１におけるショーケースＡ、Ｂ、Ｃの制御システム４の構成図を示している。この図において６は店舗１に設置された統合コントローラであり、本発明における直射時間帯判断部、直射判断部、及び、制御部をその機能として有するものである。また、この統合コントローラ６は、当該店舗１に設置された複数台のショーケースＡ、Ｂ、Ｃ、前記冷凍機Ｒ、前記日射計３と通信線により接続されており、これら各機器に対して制御データを送信し、各機器からは計測データを受信して収集することで、これらの全機器を統合制御する。
【００２７】
この場合、各ショーケースＡ、Ｂ、Ｃや冷凍機Ｒに送信する制御データは、前記冷却設定温度、前記冷却器の霜取制御、冷気循環ファン制御、減圧装置制御、電磁弁制御等に関する設定データである。また、ショーケースＡ、Ｂ、Ｃや冷凍機Ｒから収集する計測データは、各ショーケースＡ、Ｂ、Ｃの陳列室内他各部の温度、冷凍機Ｒの各部の温度であり、日射計３から収集する計測データは前記窓垂直日射量の計測データである。
【００２８】
また、統合コントローラ６は時間帯情報データベース７を有している。この時間帯情報データベース７には、各ショーケースＡ、Ｂ、Ｃ毎に、当該ショーケースが窓ガラス２から射し込む日光に直射される可能性がある時間帯が予め入力される。図３はこの時間帯情報データベース７に入力された実際のデータの例を示している。実施例の時間帯情報データベース７は、太陽の角度が変化する夏季、冬季、及び、それ以外の中間季（春季、秋季）の三つの季節に一年を区分し、各ショーケースＡ、Ｂ、Ｃについて、太陽が出ている場合に各季節毎に日光が直射する時間帯を予め確認しておいて入力する。
【００２９】
実施例ではショーケースＡが図１のように最も窓ガラス２に近い位置に設置されているので、図１中にハッチングで示すように夏季でも１３時〜１７時の時間帯で窓ガラス２から射し込む日光に直射される可能性があることが予め確認されて時間帯情報データベース７に入力される。また、ショーケースＡは冬季でも１３時〜１６時の時間帯で日光に直射され、中間季には１３時〜１６時半の時間帯で日光に直射される可能性があることが予め確認されて入力される。
【００３０】
また、窓ガラス２に対してショーケースＡより店内側に設置されたショーケースＢは、夏季には直射される可能性は無く、冬季に１５時〜１６時半の時間帯で直射され、中間季には１５時〜１７時の時間帯で直射される可能性があることが予め確認されて時間帯情報データベース７に入力される。尚、ショーケースＣについては店内奥に設置されているため、１年を通じて窓ガラス２からの日光に直射される可能性は無いと予め確認され、その旨時間帯情報データベース７に入力されている。
【００３１】
尚、このように日光に直射される可能性を各ショーケースＡ、Ｂ、Ｃ毎に予め確認しておいて時間帯情報データベース７を構成する以外に、店舗１の図面データを統合コントローラ６が保持していれば、統合コントローラ６が当該店舗の緯度／経度より窓ガラス２からの日光の入射角を計算し、各ショーケースＡ、Ｂ、Ｃが日光に直射される可能性がある時間帯を自ら計算により導出して時間帯情報データベース７を構築するようにしても良い。
【００３２】
以上の構成で、次に統合コントローラ６が実行する日光の直射に応じた制御について説明する。統合コントローラ６は日射計３が計測する窓垂直日射量に基づいてショーケースＡ等が実際に日光に直射されているか否かを判断する。図４は１日を通して日射計３が計測する窓ガラス２を通過後の日射量（窓垂直日射量）の変化を示している。
【００３３】
今、季節は夏季であり、実施例の一日は日の出近くの６：００頃から日射量が上昇していき、日没近くの１７：００頃に殆ど零になったものとする。実施例では統合コントローラ６の直射判断部は日射量が０．０６ｋＷ／平方メートル以上で実際にショーケースが日光に直射されていると判断するものとすると、統合コントローラ６は１２：４５付近から１６：３０まで実際にショーケースは日光に直射されると判断することになる。
【００３４】
そして、現在の時刻が例えば１３：００になったものとすると、統合コントローラ６の直射時間帯判断部は時間帯情報データベース７に入力された情報に基づいて、ショーケースＡのみ日光に直射される可能性があり、ショーケースＢ、Ｃは可能性が無いと判断する（図３の左）。即ち、ショーケースＡ、Ｂ、Ｃ個々について日光が直射する可能性のある時間帯を判断する。
【００３５】
統合コントローラ６は、直射時間帯判断部がショーケースＡが日光に直射される可能性がある時間帯であるものと判断し、且つ、上述したように直射判断部が日射計３の計測データに基づいて実際にショーケースが日光に直射されているものと判断した場合、現時点（１３：００）においてショーケースＡが実際に日光に直射されると判定して、制御部により当該ショーケースＡに制御データ（冷気循環ファン回転数）を送信して冷気循環ファンの回転数を増加させる（図１に制御対象として示す。尚、ショーケースＢは非制御）。
【００３６】
日光に直射されると、ショーケースＡの陳列室内には日射によるエネルギーが侵入するので、急激に冷却能力の不足が発生する危険性があるが、実施例のように冷気循環ファンの回転数を増加させれば、その分陳列室内への冷気循環量が増加するので、冷却能力が増大する。これにより、陳列室の温度上昇が未然に回避され、陳列室内に陳列された商品（物品）に損傷が生じる不都合が防止される。
【００３７】
時間帯情報データベース７によるショーケースＡの直射可能性は１７時までであるが、日射計３の計測データによる実際の日射の判断は、１６：３０までであるので、統合コントローラ６は、係る冷気循環ファンの回転数増加制御を１６：３０まで継続し、その後は通常の制御に復帰する。上記の制御は他の季節についても同様に実行される。また、他のショーケースＢについても冬季と中間季には時間帯と日射量によって冷気循環ファンの回転数増加制御が実行されることになる。
【００３８】
このように、本発明の制御システム４では、統合コントローラ６がショーケースＡ〜Ｃに日光が直射する可能性がある時間帯を、各ショーケースＡ、Ｂ、Ｃについてそれぞれ判断する直射時間帯判断部と、ショーケースＡ〜Ｃが実際に日光に直射されているか否かを判断する直射判断部と、この直射判断部の判断内容に基づいてショーケースＡ、Ｂ、Ｃをそれぞれ制御する制御部とを備えており、直射判断部がショーケースＡ、Ｂ、Ｃに実際に日光が直射していると判断し、且つ、直射時間帯判断部が実施例のようにショーケースＡに日光が直射する可能性がある時間帯であると判断した場合、制御部が、当該ショーケースＡの冷気循環ファンの回転数を増加させるので、日光の直射によるショーケースＡの冷却不良の発生を未然に抑制若しくは解消することが可能となる。
【００３９】
ここで、例えばショーケースＡ〜Ｃ周辺の照度を各ショーケース個々に検出して日光の直射を判断しようとすると、ショーケースが設置された店舗には店内照明があるので、当該店内照明の影響から判断が難しくなる。また、ショーケースのどの部分が日光に直射されるかは当該ショーケースが据え付けられた場所や時刻、季節によって変化するので、ショーケースのどの部分に照度計を取り付けるか決定することも困難である
【００４０】
しかしながら、本発明では統合コントローラ６の直射時間帯判断部が、ショーケースＡ、Ｂ、Ｃが日光に直射される可能性がある時間帯を各ショーケースＡ、Ｂ、Ｃについてそれぞれ判断し、且つ、直射判断部が窓ガラス２の日射量に基づいてショーケースＡ、Ｂ、Ｃへの日光の直射を判断するので、店舗の店内照明等に影響されること無く、日光の直射に対応して個々のショーケースＡ、Ｂ、Ｃの制御を的確に実現することが可能となる。また、このことは逆に個々のショーケースＡ、Ｂ、Ｃに対して照度計等を設ける必要が無くなるということであるので、機器構成の簡素化によるコストの削減にも成る。即ち、実施例の如く窓ガラス２に日射計３を設けてショーケースＡ、Ｂ、Ｃへの日光の直射を判断するようにすれば、窓ガラス２の陰にならない部分を選択して日射計３を設ければ問題無い。
【００４１】
また、統合コントローラ６の制御部は日光の直射によるショーケースＡ、Ｂ、Ｃの制御をそれぞれのショーケースについて行うことになるので、日光が直射しているショーケース（実施例ではＡ）のみ、冷気循環ファンの回転数を増加させることができ、必要以上のエネルギー消費の増加も防止することができる。
【００４２】
尚、上記実施例ではショーケースＡ、Ｂ、Ｃが日光に直射される可能性がある時間帯であると判断され、且つ、実際に日光に直射されていることが判断された場合にショーケースの冷気循環ファンの回転数を増加させるようにしたが、それに限らず、統合コントローラ６の制御部が、当該ショーケースＡ（或いは、Ｂ、Ｃ）の前記冷却設定温度を低下させることによっても実現することができる。
【００４３】
また、同じく統合コントローラ６の制御部が、当該ショーケースＡ（或いは、Ｂ、Ｃ）の前記冷却器に循環される冷媒量を前記減圧装置及び電磁弁の制御によって増加させる（当該ショーケースＡに冷媒を集中的に供給する）ことによっても実現することができる。即ち、冷却器への冷媒循環量の増加によって冷却能力が増大するからである。
【００４４】
更に、同じく統合コントローラ６の制御部が、当該ショーケースＡ（或いは、Ｂ、Ｃ）の前記照明装置を消灯し、若しくは、照度を低下（蛍光灯の点灯本数の削減等）させることによっても実現することができる。即ち、照明装置の消灯若しくは照度低下によって、当該照明装置から陳列室内に発せられる熱量（熱負荷）が減少するからである。
【００４５】
更にまた、同じく統合コントローラ６の制御部が、当該ショーケースＡ（或いは、Ｂ、Ｃ）の前記冷却器の霜取タイミングを遅延させることも有効である。霜取中は陳列室内の冷却は行われないので、日射に晒されている間に霜取タイミングを迎える場合には、当該霜取タイミングを遅延させて、直射時間帯を外すことにより、陳列室内の温度上昇を抑えられるからである。
【００４６】
また、上記実施例では日射計３を用いて窓ガラス２からの日射量を計測し、該計測データに基づいて統合コントローラ６の直射判断部がショーケースへの実際の日光の直射を判断するようにしたが、それに限らず、照度計を用いて窓ガラス２付近の照度を計測し、照度が所定の閾値以上か否かで実際の日射の有無を判断しても良い。即ち、日射があれば窓ガラス２付近の照度が上昇するからである。
【００４７】
また、同様に温度計を用いて窓ガラス２付近の温度を計測し、実際の日射の有無を判断しても良い。例えば、日射に晒される温度計（日射あり）と晒されない温度計（カバー等で覆う。常時日陰）を用意し、両者が計測する温度を比較して差が生じた場合には日射ありと判断することができるからである。
【００４８】
また、窓ガラス２にブラインドが設けられ、このブラインドの使用状況（閉じているか開いているか等）を検出することができれば、ブラインドの使用状況に応じて日光の直射の有無を判断しても良い。そして、これら窓ガラス２からの日射量、照度、温度、ブラインドの使用状況のうちの二つ若しくは三つ以上を組み合わせてショーケースＡ、Ｂ、Ｃが実際に日光に直射されているか否かを判断すれば、より確実性が向上する。
【００４９】
更に、実施例では店舗に設置された複数台のショーケースＡ〜Ｃと冷凍機Ｒ、これらを集中的に制御する統合コントローラ６、照度計３等により構成された制御システム４で本発明を説明したが、それに限らず、物品を冷却する複数台の冷却機器、例えば冷蔵庫や冷凍庫が日光の直射に晒される環境で使用される可能性がある施設における制御システムとしても本発明は有効である。
【符号の説明】
【００５０】
１  店舗
２  窓ガラス
３  日射計
４  制御システム
６  統合コントローラ
７  時間帯情報データベース
Ａ〜Ｃ  ショーケース
Ｒ  冷凍機
【図１】
2012132131.tif 000003
【図２】
2012132131.tif 000004
【図３】
2012132131.tif 000005
【図４】
2012132131.tif 000006
【国際調査報告】
2012132131.tif 000007
2012132131.tif 000008
2012132131.tif 000009
2012132131.tif 000010
2012132131.tif 000011
2012132131.tif 000012